(57)【要約】【課題】放送や録画に対する視聴者の嗜好の度合いを正確に抽出することを可能にする。【解決手段】本発明は、テレビ視聴装置または、録画再生装置から番組に関する番組情報を取得してデータベースに格納し、視聴者の視聴の状態を示す視聴情報を取得してデータベースに格納し、データベースに格納された前記番組情報及び前記視聴情報に基づいて番組に対する視聴者の嗜好の度合いを示す嗜好情報を生成し、記憶手段に蓄積する。【選択図】　　　図１
2004015528.tif 000002
【特許請求の範囲】
【請求項１】
番組に対する視聴者の嗜好の度合いを示す嗜好情報を抽出する嗜好情報抽出方法において、
テレビ視聴装置または、録画再生装置から番組に関する番組情報を取得してデータベースに格納する番組情報取得過程と、
視聴者の視聴の状態を示す視聴情報を取得してデータベースに格納する視聴情報取得過程と、
前記データベースに格納された前記番組情報及び前記視聴情報に基づいて番組に対する視聴者の嗜好の度合いを示す嗜好情報を生成し、記憶手段に蓄積する嗜好情報生成過程と、を行うことを特徴とする嗜好情報抽出方法。
【請求項２】
前記嗜好情報生成過程において、
前記データベースから番組録画日時と番組再生日時を取得して、該番組録画日時と該番組再生日時との差分に基づいて、前記嗜好情報を生成する請求項１記載の嗜好情報抽出方法。
【請求項３】
前記データベースから最終視聴日時を示す情報を抽出し、
前記最終視聴日時からの経過時間長に基づいて、前記記憶手段に蓄積されている前記嗜好情報を更新する嗜好情報更新過程を更に行う請求項１または、２記載の嗜好情報抽出方法。
【請求項４】
前記嗜好情報生成過程において、
前記データベースから視聴情報を読み出して、前記テレビ視聴装置による放送中の視聴か、前記録画再生装置による再生による視聴かに基づいて、前記嗜好情報を生成する請求項１乃至３のいずれか１項記載の嗜好情報抽出方法。
【請求項５】
前記嗜好情報生成過程において、
前記データベースから視聴情報を読み出して、視聴時間長に基づいて、前記嗜好情報を生成する請求項１乃至４のいずれか１項記載の嗜好情報抽出方法。
【請求項６】
前記嗜好情報生成過程において、
前記データベースから視聴情報を読み出して、再生回数に基づいて、前記嗜好情報を生成する請求項１乃至５のいずれか１項記載の嗜好情報抽出方法。
【請求項７】
前記嗜好情報生成過程において、
前記データベースから視聴情報を読み出して、早送り回数に基づいて、前記嗜好情報を生成する請求項１乃至６のいずれか１項記載の嗜好情報抽出方法。
【請求項８】
前記嗜好情報生成過程において、
前記データベースから視聴情報を読み出して、番組別の嗜好情報を生成する請求項１乃至７のいずれか１項記載の嗜好情報抽出方法。
【請求項９】
前記嗜好情報生成過程において、
前記データベースから視聴情報を読み出して、ジャンル別の嗜好情報を生成する請求項１乃至８のいずれか１項記載の嗜好情報抽出方法。
【請求項１０】
番組に対する視聴者の嗜好の度合いを示す嗜好情報を抽出する嗜好情報抽出装置であって、
テレビ視聴装置または、録画再生装置から番組情報を取得してデータベースに格納する番組情報取得手段と、
視聴者の視聴の状態を示す視聴情報を取得してデータベースに格納する視聴情報取得手段と、
前記データベースに格納された前記番組情報及び前記視聴情報に基づいて番組に対する視聴者の嗜好の度合いを示す嗜好情報を生成し、嗜好情報記憶手段に蓄積する嗜好情報生成手段と、を有することを特徴とする嗜好情報抽出装置。
【請求項１１】
前記データベースは、
前記番組情報取得手段により取得した前記番組情報に含まれる番組時間長、番組のジャンル情報と、前記視聴情報取得手段により取得した番組録画日時、番組再生日時、前記テレビ視聴装置による放送中の視聴か、前記録画再生装置による再生による視聴かを判別するための視聴形態情報、視聴時間長、再生回数、早送り／巻き戻し回数、早送り／巻き戻しのあった箇所、番組別視聴情報、番組のジャンル情報の、少なくとも１つの情報を格納する手段を有し、
前記嗜好情報生成手段は、
前記データベースから前記番組録画日時と前記番組再生日時を取得して、該番組録画日時と該番組再生日時との差分に基づいて、前記嗜好情報を生成する手段、
前記データベースから前記視聴形態情報を取得して、前記テレビ視聴装置による放送中の視聴か、前記録画再生装置による再生による視聴かに基づいて、前記嗜好情報を生成する手段、
前記データベースから前記視聴時間長を取得して、該視聴時間長に基づいて、前記嗜好情報を生成する手段、
前記データベースから前記再生回数を読み出して、該再生回数に基づいて、前記嗜好情報を生成する手段、
前記データベースから前記早送り／巻き戻し回数及び早送り／巻き戻しのあった箇所を取得して、該早送り／巻き戻し回数及び早送り／巻き戻しのあった箇所に基づいて、前記嗜好情報を生成する手段、
前記データベースから前記番組別視聴情報取得して、該番組別視聴情報に基づいて番組別の嗜好情報を生成する手段、
前記データベースから前記番組のジャンル情報を取得して、該ジャンル情報に基づいて嗜好情報を生成する手段、のいずれか１つまたは、これらの組み合わせにより嗜好情報を生成する手段を含む請求項１０記載の嗜好情報抽出装置。
【請求項１２】
前記データベースから最終視聴日時を示す情報を抽出すると共に、現在時刻を取得し、前記最終視聴日時からの経過時間長に基づいて、前記嗜好情報記憶手段に蓄積されている前記嗜好情報を更新する嗜好情報更新手段を更に有する請求項１０または、１１記載の嗜好情報抽出装置。
【請求項１３】
番組に対する視聴者の嗜好の度合いを示す嗜好情報を抽出する嗜好情報抽出プログラムであって、
テレビ視聴装置または、録画再生装置から番組情報を取得してデータベースに格納する番組情報取得ステップと、
視聴者の視聴の状態を示す視聴情報を取得してデータベースに格納する視聴情報取得ステップと、
前記データベースに格納された前記番組情報及び前記視聴情報に基づいて番組に対する視聴者の嗜好の度合いを示す嗜好情報を生成し、嗜好情報記憶手段に蓄積する嗜好情報生成ステップと、をコンピュータに実行させることをを特徴とする嗜好情報抽出プログラム。
【請求項１４】
前記番組情報取得ステップは、
少なくとも前記番組情報、番組のジャンル情報を前記データベースに格納するステップを有し、
前記視聴情報取得ステップは、
番組録画日時、番組再生日時、前記テレビ視聴装置による放送中の視聴か、前記録画再生装置による再生による視聴かを判別するための視聴形態情報、視聴時間長、再生回数、早送り／巻き戻し回数、早送り／巻き戻しのあった箇所、番組別視聴情報、の少なくとも１つの情報を視聴情報として前記データベースに格納するステップを有し、
前記嗜好情報生成ステップは、
前記データベースから前記番組録画日時と前記番組再生日時を取得して、該番組録画日時と該番組再生日時との差分に基づいて、前記嗜好情報を生成するステップ、
前記データベースから前記視聴形態情報を取得して、前記テレビ視聴装置による放送中の視聴か、前記録画再生装置による再生による視聴かに基づいて、前記嗜好情報を生成するステップ、
前記データベースから前記視聴時間長を取得して、該視聴時間長に基づいて、前記嗜好情報を生成するステップ、
前記データベースから前記再生回数を読み出して、該再生回数に基づいて、前記嗜好情報を生成するステップ、
前記データベースから前記早送り／巻き戻し回数及び早送り／巻き戻しのあった箇所を取得して、該早送り／巻き戻し回数及び早送り／巻き戻しのあった箇所に基づいて、前記嗜好情報を生成するステップ、
前記データベースから前記番組別視聴情報取得して、該番組別視聴情報に基づいて番組別の嗜好情報を生成するステップ、
前記データベースから前記番組のジャンル情報を取得して、該ジャンル情報に基づいて嗜好情報を生成するステップ、のいずれか１つまたは、これらの組み合わせにより嗜好情報を生成するステップを含む請求項１３記載の嗜好情報抽出プログラム。
【請求項１５】
前記データベースから最終視聴日時を示す情報を抽出すると共に、現在時刻を取得し、前記最終視聴日時からの経過時間長に基づいて、前記嗜好情報記憶手段に蓄積されている前記嗜好情報を更新する嗜好情報更新ステップを更に有する請求項１３または、１４記載の嗜好情報抽出プログラム。
【発明の詳細な説明】
【０００１】
【発明の属する技術分野】
本発明は、嗜好情報抽出方法及び装置及びプログラムに係り、特に、番組に対する視聴者の嗜好の度合いを示す嗜好情報を抽出するための嗜好情報抽出方法及び装置及びプログラムに関する。
【０００２】
【従来の技術】
従来、視聴者がテレビジョンでチャンネルを合わせることにより放送中の番組を視聴している状態について、視聴率を計測している。
【０００３】
【発明が解決しようとする課題】
しかしながら、上記従来の技術では、録画装置による繰り返し再生について考慮されていない。近年、大容量のハードディスクを用いたパーソナルビデオレコーダ（ＰＶＲ：Ｐｅｒｓｏｎａｌ　Ｖｉｄｅｏ　Ｒｅｃｏｒｄｅｒ）が視聴者に提供され、視聴者は番組を再生して視聴する機会が更に増えることとなり、視聴者の嗜好の度合いを十分に抽出することができないという問題がある。
【０００４】
本発明は、上記の点に鑑みなされたもので、放送や録画に対する視聴者の嗜好の度合いを正確に抽出することができる嗜好情報抽出方法及び装置及びプログラムを提供することを目的とする。
【０００５】
【課題を解決するための手段】
図１は、本発明の原理を説明するための図である。
【０００６】
本発明は、番組に対する視聴者の嗜好の度合いを示す嗜好情報を抽出する嗜好情報抽出方法において、
テレビ視聴装置または、録画再生装置から番組に関する番組情報を取得してデータベースに格納する番組情報取得過程（ステップ１）と、
視聴者の視聴の状態を示す視聴情報を取得してデータベースに格納する視聴情報取得過程（ステップ２）と、
番組情報及び視聴情報に基づいて番組に対する視聴者の嗜好の度合いを示す嗜好情報を生成し、記憶手段に蓄積する嗜好情報生成過程（ステップ３）と、を行う。
【０００７】
本発明の嗜好情報抽出方法は、嗜好情報生成過程において、
データベースから番組録画日時と番組再生日時を取得して、該番組録画日時と該番組再生日時との差分に基づいて、嗜好情報を生成する。
【０００８】
本発明の嗜好情報抽出方法は、データベースから最終視聴日時を示す情報を抽出し、
最終視聴日時からの経過時間長に基づいて、記憶手段に蓄積されている嗜好情報を更新する嗜好情報更新過程を更に行う。
【０００９】
本発明の嗜好情報抽出方法は、嗜好情報生成過程において、
データベースから視聴情報を読み出して、テレビ視聴装置による放送中の視聴か、録画再生装置による再生による視聴かに基づいて、嗜好情報を生成する。
【００１０】
本発明の嗜好情報抽出方法は、嗜好情報生成過程において、
データベースから視聴情報を読み出して、視聴時間長に基づいて、嗜好情報を生成する。
【００１１】
本発明の嗜好情報抽出方法は、嗜好情報生成過程において、
データベースから視聴情報を読み出して、再生回数に基づいて、嗜好情報を生成する。
【００１２】
本発明の嗜好情報抽出方法は、嗜好情報生成過程において、
データベースから視聴情報を読み出して、早送り回数に基づいて、嗜好情報を生成する。
【００１３】
本発明の嗜好情報抽出方法は、嗜好情報生成過程において、
データベースから視聴情報を読み出して、番組別の嗜好情報を生成する。
【００１４】
本発明の嗜好情報抽出方法は、嗜好情報生成過程において、
データベースから視聴情報を読み出して、ジャンル別の嗜好情報を生成する。
図２は、本発明の原理構成図である。
【００１５】
本発明は、番組に対する視聴者の嗜好の度合いを示す嗜好情報を抽出する嗜好情報抽出装置であって、
テレビ視聴装置または、録画再生装置から番組に関する番組情報を取得してデータベース２３に格納する番組情報取得手段２１と、
視聴者の視聴の状態を示す視聴情報を取得してデータベース２３に格納する視聴情報取得手段２２と、
データベース２３に格納された番組情報及び視聴情報に基づいて番組に対する視聴者の嗜好の度合いを示す嗜好情報を生成し、嗜好情報記憶手段２６に蓄積する嗜好情報生成手段２５と、を有する。
【００１６】
本発明の嗜好情報抽出装置のデータベース２３は、
番組情報取得手段により取得した番組情報、ジャンル別情報と、視聴情報取得手段により取得した番組録画日時、番組再生日時、テレビ視聴装置による放送中の視聴か、録画再生装置による再生による視聴かを判別するための視聴形態情報、視聴時間長、再生回数、早送り／巻き戻し回数、早送り／巻き戻しのあった箇所、番組別視聴情報、の少なくとも１つの情報を視聴情報として格納し、
嗜好情報生成手段２５において、
データベース２３から番組録画日時と番組再生日時を取得して、該番組録画日時と該番組再生日時との差分に基づいて、嗜好情報を生成する手段、
データベース２３から視聴形態情報を取得して、テレビ視聴装置による放送中の視聴か、録画再生装置による再生による視聴かに基づいて、嗜好情報を生成する手段、
データベース２３から視聴時間長を取得して、該視聴時間長に基づいて、嗜好情報を生成する手段、
データベース２３から再生回数を読み出して、該再生回数に基づいて、嗜好情報を生成する手段、
データベース２３から早送り／巻き戻し回数及び早送り／巻き戻しのあった箇所を取得して、該早送り／巻き戻し回数及び早送り／巻き戻しのあった箇所に基づいて、嗜好情報を生成する手段、
データベース２３から番組別視聴情報取得して、該番組別視聴情報に基づいて番組別の嗜好情報を生成する手段、
データベース２３から番組のジャンル情報を取得して、該ジャンル情報に基づいて嗜好情報を生成する手段、のいずれか１つまたは、これらの組み合わせにより嗜好情報を生成する。
【００１７】
本発明の嗜好情報抽出装置は、データベース２３から最終視聴日時を示す情報を抽出すると共に、現在時刻を取得し、最終視聴日時からの経過時間長に基づいて、嗜好情報記憶手段に蓄積されている嗜好情報を更新する嗜好情報更新手段を更に有する。
【００１８】
本発明は、番組に対する視聴者の嗜好の度合いを示す嗜好情報を抽出する嗜好情報抽出プログラムであって、
テレビ視聴装置または、録画再生装置から番組に関する番組情報を取得して、データベースに格納する番組情報取得ステップと、
視聴者の視聴の状態を示す視聴情報を取得してデータベースに格納する視聴情報取得ステップと、
データベースに格納された番組情報及び視聴情報に基づいて番組に対する視聴者の嗜好の度合いを示す嗜好情報を生成し、嗜好情報記憶手段に蓄積する嗜好情報生成ステップと、をコンピュータに実行させる。
【００１９】
本発明の嗜好情報抽出プログラムの番組情報取得ステップは、少なくとも、番組時間長、番組のジャンル情報を番組情報としてデータベースに格納するステップを有し、
視聴情報取得ステップは、番組録画日時、番組再生日時、テレビ視聴装置による放送中の視聴か、録画再生装置による再生による視聴かを判別するための視聴形態情報、視聴時間長、再生回数、早送り／巻き戻し回数、早送り／巻き戻しのあった箇所、番組別視聴情報、の少なくとも１つの情報を視聴情報としてデータベースに格納するステップを有し、
嗜好情報生成ステップは、
データベースから番組録画日時と番組再生日時を取得して、該番組録画日時と該番組再生日時との差分に基づいて、嗜好情報を生成するステップ、
データベースから視聴形態情報を取得して、テレビ視聴装置による放送中の視聴か、録画再生装置による再生による視聴かに基づいて、嗜好情報を生成するステップ、
データベースから視聴時間長を取得して、該視聴時間長に基づいて、嗜好情報を生成するステップ、
データベースから再生回数を読み出して、該再生回数に基づいて、嗜好情報を生成するステップ、
データベースから早送り／巻き戻し回数及び早送り／巻き戻しのあった箇所を取得して、該早送り／巻き戻し回数及び早送り／巻き戻しのあった箇所に基づいて、嗜好情報を生成するステップ、
データベースから番組別視聴情報取得して、該番組別視聴情報に基づいて番組別の嗜好情報を生成するステップ、
データベースから番組のジャンル情報を取得して、該ジャンル情報に基づいて嗜好情報を生成するステップ、のいずれか１つまたは、これらの組み合わせにより嗜好情報を生成する。
【００２０】
本発明の嗜好情報抽出プログラムは、データベースから最終視聴日時を示す情報を抽出すると共に、現在時刻を取得し、最終視聴日時からの経過時間長に基づいて、嗜好情報記憶手段に蓄積されている嗜好情報を更新する嗜好情報更新ステップを更に有する。
【００２１】
上記のように、本発明は、放送または、録画に対する視聴者の嗜好の度合いを抽出することが可能となる。
【００２２】
また、放送中の視聴か、再生による視聴か、番組録画日と番組再生日時との差分、視聴時間長、再生回数及び早送り回数のいずれか、または、それらの組み合わせに基づいて、嗜好情報を生成することが可能となる。
【００２３】
また、番組別及びジャンル別に嗜好情報を生成するようになっている。従って、録画した後にすぐに再生するような視聴者の番組への高い関心の度合いを把握することが可能となる。
【００２４】
また、一定の範囲を最後まで視聴するような視聴者の番組への関心の度合いを把握することが可能となる。
【００２５】
また、何度も繰り返して視聴するような視聴者の番組への高い関心の度合いを把握することが可能となる。
【００２６】
また、早送りをしないような視聴者の番組への高い関心の度合いを把握することが可能となる。
【００２７】
また、一番組が複数のジャンルにわたる場合にも、ジャンル別に正確に視聴者の嗜好の度合いを把握することが可能となる。
【００２８】
また、視聴してから視聴しないまま過ぎた経過時間長に基づいて嗜好情報を更新することが可能となり、正確に視聴者の嗜好の度合いを把握することができる。
【００２９】
【発明の実施の形態】
以下、図面と共に本発明の一実施の形態について説明する。
【００３０】
図３は、本発明の一実施の形態における嗜好情報計測システムの構成を示す。このうち、本発明の要旨となるのは、嗜好情報抽出装置であり、当該嗜好情報抽出装置を中心に説明する。
【００３１】
図３に示す嗜好情報計測システムは、視聴者の番組・録画に対する嗜好情報を視聴者の側で抽出する嗜好情報抽出装置２０と、複数の嗜好情報抽出装置２０から情報通信網２を介して送信された嗜好情報を集計する嗜好情報集計装置３０と、放送網１、テレビ視聴装置１１、録画再生装置１２から構成される。
【００３２】
テレビ視聴装置１１は、放送網１から番組と電子番組ガイド（以下、「番組情報」と記す）とを受信して、放送中の番組を視聴者に提供する。
【００３３】
録画再生装置１２は、放送網１から番組と番組情報とを受信して、録画された番組を視聴者に提供する。
【００３４】
なお、図３には、テレビ視聴装置１１と録画再生装置１２が異なる装置として示されているが、一体となっていてもよい。
【００３５】
嗜好情報抽出装置２０は、番組に関する番組情報を取得する番組情報取得部２１、視聴者の視聴の状態を示す視聴情報を取得する視聴情報取得部２２と、視聴情報などを記録するデータベース２３と、日時を計時する計時部２４と、視聴情報に基づいて、番組に対する視聴者の嗜好の度合いを示す嗜好情報を生成する嗜好情報生成部２５と、嗜好情報を蓄積する嗜好情報蓄積部２６と、所定時間が経過する毎に嗜好情報を更新する嗜好情報更新部２７と、予め決められた嗜好情報集計装置３０に嗜好情報を送信する嗜好情報送信部２８とを有する。
【００３６】
データベース２３は、番組情報取得部２１によってテレビ視聴装置１１及び、録画再生装置１２から取得した番組情報を記録する。また、データベース２３は、視聴情報取得部２２によってテレビ視聴装置１１及び録画再生装置１２から取得した視聴情報を記録する。ここで、視聴情報は、例えば、録画再生による視聴か放送中における視聴かを示す情報、視聴者が番組を最後まで見たかどうかを示す情報、視聴中の早送りや巻き戻しがあったかどうか、及び、早送りや巻き戻しがあった場合はその場所を示す情報、その他の視聴者の視聴状態を示す情報である。また、視聴者の視聴状態は、日時情報と関連付けられてデータベース２３に記録される。例えば、録画日時、再生日時、最終視聴日時などの日時情報も記録される。
【００３７】
嗜好情報生成部２５は、データベース２３に格納された番組情報と視聴情報をに基づいて嗜好情報を生成し、嗜好情報蓄積部２６に蓄積する。具体的には、番組録画日時と番組再生日時との差分に基づいて、嗜好情報を生成する。また、放送中の視聴か再生による視聴かに基づいて、嗜好情報を生成する。また、視聴時間及び再生回数に基づいて嗜好情報を生成する。また、視聴番組毎に視聴者の嗜好を示す数値を生成する。また、ジャンル毎に視聴者の嗜好を示す数値を生成する。なお、一番組が複数のコーナーからなり、しかも、複数のジャンルにわたる場合には、ジャンル毎に別々に嗜好数値を算出する。
【００３８】
嗜好情報更新部２７は、視聴してから視聴しないまま過ぎた経過時間長に基づいて、嗜好情報蓄積部２６に蓄積された嗜好情報を更新する。
【００３９】
このような嗜好情報計測システムにおいて、視聴者の側に設置された複数の嗜好情報抽出装置２０がそれぞれ、番組に関する番組情報を取得し、視聴者の視聴の状態を示す視聴情報を取得し、視聴情報に基づいて番組に対する視聴者の嗜好の度合いを示す嗜好情報を生成し、嗜好情報集計装置３０に嗜好情報を送信し、嗜好情報集計装置３０が、複数の視聴者の嗜好情報を集計するようになっている。このように集計された視聴者の嗜好情報は、例えば、情報通信網２を介して広告主などに提示される。
【００４０】
次に、上記の嗜好情報抽出装置２０の動作を説明する。
【００４１】
図４は、本発明の一実施の形態における番組視聴に対する嗜好情報生成処理のフローチャートである。
【００４２】
以下では、特定の番組に対する視聴者の嗜好情報として、視聴番組の嗜好数値α及び視聴ジャンルの嗜好数値βを算出する例を示す。
【００４３】
嗜好数値α、βの初期値をデフォルト（＝０）とする（ステップ２００）。まず、視聴情報取得部２２により、テレビ視聴情報１１及び録画再生装置１２から予め取得され、データベース２３に記憶されている視聴情報を、嗜好情報生成部２５が読み込むことにより取得する（ステップ２０１）。
【００４４】
次に、番組情報取得部２１によりテレビ視聴装置１１及び録画再生装置１２から予め取得され、データベース２３に記録されている番組情報を嗜好情報生成部２５が読み込むことにより取得する（ステップ２０２）。
【００４５】
次に、視聴番組嗜好数値αの増加分であるΔαの初期値を設定する（ステップ２０３）。例えば、Δαを“１”とする。
【００４６】
次に、テレビ視聴装置１１による視聴か、録画再生装置１２による視聴かを示す情報を視聴情報から抽出し、放送中の視聴か、録画再生による視聴かを判定する（ステップ２０４）。
【００４７】
録画再生による視聴の場合には、番組の録画日時を視聴情報から抽出すると共に（ステップ２０５）、番組の再生日時を視聴情報から抽出し（ステップ２０６）、番組の録画日時と番組の再生日時との差分に基づいて視聴番組嗜好数値αの増加分Δαを調整する（ステップ２０７）。ここでは、録画日時と再生日時との差分が小さい程Δαを大きくする。例えば、差分が１０日以内であればΔαを１．２倍し、差分が１０日から２０日までの範囲であれば、Δαを１．１倍し、差分が２１日以上であれば、Δαをそのままとする。
【００４８】
また、録画再生による視聴の場合には、当該番組の再生回数を示す情報を視聴情報から抽出し、最初の視聴であるか否かを判定する（ステップ２０８）。最初の視聴であると判定された場合には、視聴番組嗜好数値αの増加分Δαを大きくするよう所定の係数を乗算する（ステップ２０９）。例えば、Δαを１．２倍する。
【００４９】
次に、番組時間長を示す情報を番組情報から抽出すると共に、視聴時間長を示す情報を視聴情報から抽出し、視聴者が番組を最後まで見たか否かを判定する（ステップ２１０）。視聴者が番組を最後まで見たと判定された場合には、視聴番組嗜好数値αの増加分Δαを大きくする所定の係数を乗算する（ステップ２１１）。例えば、Δαを１．２倍する。
【００５０】
なお、放送中にテレビ視聴装置１１で視聴した番組を、同時に録画装置１２で録画し、再生した場合には、視聴番組嗜好数値αの増加分Δαをさらに増加させる。例えば、Δαを１．２倍する箇所で、１．２倍に替えて１．４倍するようにする。
【００５１】
次に、視聴番組嗜好数値αにその増加分Δαを加算する（ステップ２１２）。また、当該番組のジャンルに対応した視聴ジャンル嗜好数値βの増加分Δβに視聴番組嗜好数値αの増加分Δαを代入する（ステップ２１３）。
【００５２】
次に、番組情報と視聴情報とに基づいて、番組中で当該ジャンルで繰り返し再生された部分があるか否かを判定する（ステップ２１４）。なお、番組中の当該ジャンルに該当しない部分の再生は除く。番組中で当該ジャンルで繰り返し再生された部分がある場合には、繰り返し回数に所定の係数値を乗算したものを視聴ジャンル嗜好度βの増加分Δβに加算する（ステップ２１５）。例えば、繰り返し回数に０．１を乗算したものをΔβに加算する。なお、一番組が複数のジャンルにわたる場合、例えば、ニュース番組であって一般報道やスポーツや天気予報などの複数のコーナーからなり、複数のジャンルにわたる場合には、ジャンル別に繰り返し回数を抽出し、ジャンル別に嗜好数値を算出するとよい。
【００５３】
次に、録画再生による視聴の場合には、早送り回数を示す情報を視聴情報から抽出し、番組の再生鵜に飛ばした箇所があるか否かを判定する（ステップ２１６）。なお、番組中の当該ジャンルに該当しない部分の飛ばしは除く。飛ばした箇所がある場合には、視聴ジャンル嗜好数値βの増加分Δβを減算する（ステップ２１７）。なお、一番組が複数のジャンルにわたる場合、ジャンル別に飛ばし箇所を判定し、ジャンル別に嗜好数値を算出するとよい。
【００５４】
次に、視聴ジャンル嗜好数値βにその増加分Δβを加算する（ステップ２１８。
【００５５】
このような嗜好情報の生成処理は、所定時間毎に、例えば、１日経過する毎に行われ、生成された嗜好情報が情報通信網２を介して嗜好情報集計装置３０に送信される。視聴者が番組視聴を終了したことを検知したときに、嗜好情報の生成処理を実行させるようにしてもよい。
【００５６】
次に、番組を視聴してからの経過時間に基づく嗜好情報の更新処理について説明する。
【００５７】
図５は、本発明の一実施の形態における嗜好情報の更新処理のフローチャートである。
【００５８】
以下では、特定の番組に対する視聴者の嗜好情報として、視聴番組の嗜好数値α及び視聴ジャンルの嗜好数値βを算出する例を示す。
【００５９】
まず、嗜好情報生成部２５が計時部２４によって計時された時刻を読み込むことにより、現在の日時を取得する（ステップ３０１）。
【００６０】
次に、視聴情報取得部２１によってテレビ視聴装置１１及び録画再生装置１２から予め取得されてデータベース２３に記録された視聴情報から、最終視聴日を示す情報を抽出する（ステップ３０２）。
【００６１】
次に、視聴番組嗜好数字α及び視聴ジャンル嗜好数値βの日時の差分に基づいて、視聴番組の嗜好数値α及び視聴ジャンルの嗜好数値βを更新する（ステップ３０３）。この例のおいては、嗜好数値が最終視聴日時からの経過時間によって減少していくように、指数関数を用い、嗜好数値α、βを減算する。
【００６２】
このような嗜好情報の更新処理は、所定時間毎に、例えば、１日経過する毎に行われ、更新された嗜好情報が情報通信網２を介して嗜好情報集計装置３０に送信される。
【００６３】
以上のように、本実施の形態の嗜好情報抽出装置２０は、番組に関する番組情報を取得する番組情報取得部２１と、視聴者の視聴の状態を示す視聴情報を取得する視聴情報取得部２２と、視聴情報に基づいて番組に対する視聴者の嗜好の度合いを示す嗜好情報を生成する嗜好情報生成部２５と、嗜好情報を蓄積する嗜好情報蓄積部２６と、予め決められた宛先に嗜好情報を送信する嗜好情報送信部２８により、録画再生によって番組を視聴する視聴者が多い場合であっても、放送に対する視聴者の嗜好の度合いを正確に抽出することができる。
【００６４】
また、本実施の形態における嗜好情報抽出装置２０は、嗜好情報生成部２５が放送中の視聴か、再生による視聴か、番組録画日と番組再生日時との差分、視聴時間長、再生回数及び早送り回数のいずれか、または、それらの組み合わせに基づいて、嗜好情報を生成する。
【００６５】
また、本実施の形態における嗜好情報抽出装置２０は、嗜好情報生成部２５が、番組別及びジャンル別に嗜好情報を生成するようになっている。従って、録画した後にすぐに再生するような視聴者の番組への高い関心の度合いを把握することができる。また、一定の範囲を最後まで視聴するような視聴者の番組への関心の度合いを把握することができる。また、何度も繰り返して視聴するような視聴者の番組への高い関心の度合いを把握することができる。
【００６６】
また、早送りをしないような視聴者の番組への高い関心の度合いを把握することができる。また、一番組が複数のジャンルにわたる場合にも、ジャンル別に正確に視聴者の嗜好の度合いを把握することができるようになっている。例えば、スポーツコーナーのホームランシーンを何度を見た場合には、そのような視聴者の高い関心の度合いを反映させることができる。
【００６７】
また、本実施の形態における嗜好情報抽出装置２０は、視聴してから視聴しないまま過ぎた経過時間長に基づいて嗜好情報を更新することが可能であるので、正確に視聴者の嗜好の度合いを把握することができる。
【００６８】
これにより、嗜好情報計測システムでは、複数の嗜好情報抽出装置２０から送信された嗜好情報を集計することにより、放送に対する視聴者の嗜好の度合いを広告主などに正確に伝達できる。
【００６９】
なお、前述の説明において、番組及び番組情報が伝送されるネットワークを嗜好情報を伝送するネットワークとを異なるネットワークで構成した例について説明したが、同一のネットワークで構成してもよい。
【００７０】
また、前述の説明において、視聴してから時間経過による嗜好数値の減少を指数関数によって導き、視聴直後を重要視する例について説明したが、嗜好情報蓄積装置は、これに限定されるものではなく、他の関数を用いて演算するように構成してもよい。
【００７１】
また、前述の説明において、嗜好情報を番組別及びジャンル別に区別する例について説明したが、嗜好情報を視聴者の視聴状態毎に区別して集計し、広告主などへのレポートを作成するようにしてもよい。例えば、放送中の視聴による嗜好数値と録画再生による嗜好数値とをそれぞれ別々に抽出して集計してもよいし、繰り返し再生した場合の嗜好数値と繰り返し再生しない場合の嗜好数値と別にして抽出して集計してもよい。
【００７２】
また、本発明は、ＰＶＲのみならず、ＤＶＤなどのメディアパッケージやビデオテープ関連機器に対しても広く実施することができる。
【００７３】
また、本発明の嗜好情報抽出装置の構成要素をプログラムとして構築し、嗜好情報抽出装置として利用されるコンピュータにインストールする、または、ネットワークを介して流通させてもよい。
【００７４】
また、構築されたプログラムを嗜好情報抽出装置として利用されるコンピュータに接続されるハードディスク装置や、フレキシブルディスク、ＣＤ−ＲＯＭ等の可搬記憶媒体に格納しておき、本発明を実施する際にインストールすることも可能である。
【００７５】
なお、本発明は、上記の実施の形態に限定されることなく、特許請求の範囲内において、種々変更・応用が可能である。
【００７６】
【発明の効果】
上述のように、本発明によれば、放送に対する視聴者の嗜好の度合いを正確に抽出することができる。
【図面の簡単な説明】
【図１】本発明の原理を説明するための図である。
【図２】本発明の原理構成図である。
【図３】本発明の一実施の形態における嗜好情報計測システムの構成図である。
【図４】本発明の一実施の形態における番組視聴における嗜好情報生成処理のフローチャートである。
【図５】本発明の一実施の形態における情報の更新処理のフローチャートである。
【符号の説明】
１　放送網
２　情報通信網
１１　テレビ視聴装置
１２　録画再生装置
２０　嗜好情報抽出装置
２１　番組情報取得手段、番組情報取得部
２２　視聴情報取得手段、視聴情報取得部
２３　データベース
２４　計時部
２５　嗜好情報生成手段、嗜好情報生成部
２６　嗜好情報記憶手段、嗜好情報蓄積部
２７　嗜好情報更新部
２８　嗜好情報送信部
３０　嗜好情報集計装置
【図１】
2004015528.tif 000003
【図２】
2004015528.tif 000004
【図３】
2004015528.tif 000005
【図４】
2004015528.tif 000006
【図５】
2004015528.tif 000007